(57)【要約】      （修正有）【課題】製作可能な立体形状物の範囲（種類）を飛躍的に増大できる組立てブロックおもちゃを、従来品には見られないシンプル構造のパーツで得ることができるようにした組立ブロックおもちゃを提供する。【解決手段】平面正方形の立方体に近い直方体ブロック１と、直方体ブロック１の平面上の一辺と同長の直径を有する平面視円形であって直方体ブロック１の高さと同じ高さを有する円形ブロック１１とを基本ブロックとし、基本ブロックの上面と下面に、当該円形ブロック１１の高さ方向を貫通しない深さの平面視十字状の溝２（以下、十字溝２という）を設けた基本ブロックと、十字溝２の一辺長と同長の長辺と一辺長の１／２と同長の短辺と十字溝２に密に遊挿できる厚さとを有する長方形の板体によるジョイントブロック４とから成り、２種類の基本ブロックの複数個を、それらの十字溝２にジョイントブロック４を挿込んで直結することにより立体形象物を作る。【選択図】図６
0003197214.tif 000002
【実用新案登録請求の範囲】
【請求項１】
平面正方形の立方体に近い直方体ブロックと、該直方体ブロックを平面から見た一辺と同長の直径を有する平面視円形であって前記直方体ブロックの高さと同じ高さを有する円形ブロックを基本ブロックとし、該基本ブロックの上面と下面に、当該基本ブロックの高さ方向を貫通しない深さの平面視十字状の溝（以下、十字溝という）を設けた基本ブロックと、前記十字溝の一辺長と同長の長辺と前記一辺長の１／２と同長の短辺と前記溝に密に遊挿できる厚さとを有する長方形の板体による基本ジョイントブロックと該基本ジョイントブロックよりも大きい長さのジョイントブロックから成り、前記２種類の基本ブロックの複数個を、それらの十字溝に前記ジョイントブロックを挿込んで連結することにより立体形象物を作るようにしたことを特徴とする組立ブロックおもちゃ。
【請求項２】
ジョイントブロックは、前記基本ジョイントブロックの長さの整数倍の長さの板状体で形成したものである請求項１に記載の組立ブロックおもちゃ。
【請求項３】
ジョイントブロックには、最も短いジョイントブロックにおける両側の短辺に、前記基本ブロックの上、下両面の十字溝の底が当該基本ブロックの外周面に形成する底部に嵌まる嵌合部を形成した請求項１に記載の組立ブロックおもちゃ。
【請求項４】
両側の短辺に嵌合部を形成した前記ジョイントブロックは、その両長辺をテーパ状の斜辺に形成した請求項３に記載の組立ブロックおもちゃ。
【請求項５】
基本ブロックとジョイントブロックは、木製である請求項１〜４のいずれかに記載の組立ブロックおもちゃ。
【請求項６】
基本ブロックを木製とし、ジョイントブロックをプラスチック製とした請求項５に記載の組立ブロックおもちゃ。
【請求項７】
基本ブロックを、立方体ブロックと該ブロックの一辺長と直径、高さを同じにした円形ブロックで形成した請求項１〜７のいずれかに記載の組立ブロックおもちゃ。
【考案の詳細な説明】
【技術分野】
【０００１】  本考案は、２種類で複数個のブロック状パーツを連結用パーツで接続することにより、様々な形態の乗り物、ロボット、動物等の立体形象物を作ることができる組立ブロックおもちゃに関する
【背景技術】
【０００２】  従来から、立方体や球体等の基本ブロックパーツを、その基本ブロック内に形成された凹凸状の連結構造部において連結することにより、様々な立体形象物に造型することができる組立ブロックおもちゃが、特許文献１〜５などによって知られている。
【特許文献】  しかし、公知の組立てブロックおもちゃは、基本ブロック内に形成された連結構造部による連結であるため、作ることができる立体形象物は様々であるが、造型できる形態に自由度が少ないため、作ることができる形象物に限界があり、作られる形態もやや興趣に欠ける面があった。
【先行技術文献】
【０００３】
【特許文献１】  特公平３−６８３０号公報
【特許文献２】  特開２００６−２５５３５５号公報
【特許文献３】  特開平９−２４１６５号公報
【特許文献４】  特開平５−３２９２７９号公報
【特許文献５】特表平１１−５０５４９２号公報
【考案の開示】
【考案が解決しようとする課題】
【０００４】  そこで本考案は、公知の組立てブロックおもちゃでは得られない、製作可能な立体形状物の範囲（種類）を飛躍的に増大できる組立ブロックおもちゃを、従来品には見られないシンプル構造のパーツで得ることができるようにした組立ブロックおもちゃを提供することを、その課題とする。
【課題を解決するための手段】
【０００５】  上記課題を解決することを目的としてなされた本考案組立ブロックおもちゃの構成は、平面正方形の立方体に近い直方体ブロックと、該直方体ブロックを平面から見た一辺と同長の直径を有する平面視円形であって前記直方体ブロックの高さと同じ高さを有する円形ブロックとを基本ブロックとし、該基本ブロックの上面と下面に、当該基本ブロックの高さ方向を貫通しない深さの平面視十字状の溝（以下、十字溝という）を設けた基本ブロックと、前記十字溝の一辺長と周長の長辺と前記一辺長の１／２と同長の短辺と前記溝に密に遊挿できる厚さとを有する長方形の板体による基本ジョイントブロックと該基本ジョイントブロックの整数倍の長さを有するジョイントブロックとから成り、前記２種類の基本ブロックの複数個を、それらの十字溝に前記ジョイントブロックを挿込んで連結することにより立体形象物を作るようにしたことを特徴とするものである。【０００６】  本考案のジョイントブロックには、基本ジョイントブロックの長さを少なくとも２倍〜４倍の長さの板状体で形成した複数種類のジョイントブロックがある。【０００７】  また、本考案のジョイントブロックには、最も短いジョイントブロックにおける両側の短辺に、前記基本ブロックの上、下両面の十字溝の底が当該基本ブロックの外周面に現れる底部に嵌まる凹状の嵌合部に形成した異形ジョイントブロックもある。【０００８】  両側の短辺に凹状の嵌合部を形成した前記異形ジョイントブロックでは、その両側の長辺をテーパ状の斜辺に形成している。【０００９】  本考案における基本ブロックである直方体ブロック，円形ブロックとジョイントブロックは、木製であることが望ましい。もちろん、プラスチック成形品のような合成樹脂製とすることもできる。また、基本ブロックを木製とし、ジョイントブロックをプラスチック製とすることもできる。また、前記ジョイントブロックには、前記十字溝に嵌った状態を外すとき棒状の道具が入る小孔を設けることがある。
【考案の効果】
【００１０】  本考案組立ブロックおもちゃは、平面正方形の立方体に近い直方体ブロックと、該直方体ブロックの平面上の一辺と同長の直径を有する平面視円形であって前記直方体ブロックの高さと同じ高さを有する円形ブロックとを基本ブロックとし、前記基本ブロックの上面と下面に、当該円形ブロックの高さ方向を貫通しない深さの平面視十字状の溝（以下、十字溝という）を設けた基本ブロックと、前記十字溝の一辺長と周長の長辺と前記一辺長の１／２と同長の短辺と前記溝に密に遊挿できる厚さとを有する長方形の板体による長さが異なる複数種類ジョイントブロックとから成り、前記２種類の基本ブロックの複数個を、それらの十字溝にジョイントブロックを挿込んで連結することにより立体形象物を作ることができる組立ブロックおもちゃを構成したから、前記２種類の基本ブロックの複数個を、それらの十字溝にジョイントブロックを挿込んで連結することにより立体形象物を作ることができ、従来の組立ブロックおもちゃでは、できなかった多種多様な形態の立体形象物を作ることができる。
【図面の簡単な説明】
【００１１】
【図１】直方体ブロックの斜辺図。
【図２】円形ブロックの斜視図。
【図３】最も短いジョイントブロックの斜視図。
【図４】図３のジョイントブロックの整数倍の長さを持つ２つの連結片ブロックの斜視図。
【図５】異形ジョイントブロックの斜視図。
【図６】本考案ブロックで作った立体形象物の第一例の斜視図。
【図７】本考案ブロックで作った立体形象物の第二例の斜視図。
【図８】本考案ブロックで作った立体形象物の第三例の斜視図。
【図９】本考案ブロックで作った立体形象物の第四例の斜視図。
【考案を実施するための形態】
【００１２】  次に、図により本考案組立ブロックおもちゃの例について説明する。
図１は、本考案ブロックにおける直方体ブロック１の一例を斜視図で示した例、図２は同じく円形ブロック１１の一例を斜視図で示した例である。
【００１３】図１の直方体ブロック１は、平面視正方形でその一辺長をａとすると共に、当該ブロック１の高さｈが前記長さａより少し小さい数値の立方体に近い直方体で形成されている。なおこのブロック１を一辺長ａの立方体とすることは任意である。
【００１４】図２の円形ブロック１１は、前記直方体ブロック１の一辺長ａと同じ大きさの直径ａを有する平面視円形で、高さが前記ブロック１の高さｈと同じ高さｈを有する短円柱体で形成されている。前記短円柱体の高さｈを前記ａとすることは任意である。
【００１５】本考案において上記ブロック１、１１は、基本ブロックを構成しており、この基本ブロック（直方体ブロック１と円形ブロック１１、以下、基本ブロック１、１１ということもある。）の上面と下面の中心に溝の交点が位置する十字状の溝２（以下十字溝２という）が形成されている。溝２の深さｄは各ブロック１，１１の高さｈの１／２以下である。
【００１６】図３は、上記基本ブロック１、１１同士を連結するための基本ジョイントブロック４の基本形態の一例の斜視図である。
図３の基本ジョイントブロック４は、平面視長方形の板材で形成されており、その大きさは、短辺の長さが前記ブロック１、１１の一辺長ａ（直径ａ）の半分の１／２ａ、長辺の長さがａ、厚さｔ２が、前記十字溝２の幅ｗと略同じ厚さ乃至前記幅ｗより僅かに小さい厚さ、具体的にはこのブロック４が十字溝２に密に遊挿できる厚さに形成されている。
【００１７】図４は、図３の基本ジョイントブロック４の拡張パターン例のジョイントブロック５と６の斜視図で、図４（イ）のジョイントブロック５は、長辺が図３のブロック４の２倍の長さ２ａに形成されているが、短辺と厚さは図３のブロック４と同じに形成されたものである。
【００１８】  図４（ロ）のジョイントブロック６は、長辺が図３のブロック４の４倍の長さ４ａに形成され、短辺と厚さは図３のブロック４と同じに形成された例である。
本考案において前記ジョイントブロック５，６は、短辺と厚さが基本ジョイントブロック４と同じであれば、長さは上記例以外の長さであってもよい。
【００１９】  図５は、本考案ブロックにおける異形ジョイントブロック７の一例を斜視図で示したものである。
図５の異形ジョイントブロック７は、両側の短辺に基本ブロック１，１１の外周面に現われている底部３の厚さｔと同じ大きさの左右幅ｔの凹部７ａ，７ｂを形成した点で異なる。さらに、図５の例では基本ジョイントブロック４における両長辺を全体としてテーパ状になる斜辺部７ｃ，７ｄに形成し、ブロック全体としては平面視大略台形状に形成している。
本考案において基本ブロック１，１１を連結するジョイントブロックには、上記ブロック４〜７以外のジョイントブロックを使用できる。例えば平面形状が上記例の長方形や台形以外の多角形や円形、長円形、楕円形、星形等のジョイントブロックを用いてもよい。また、長方形のジョイントブロック４〜６がプラスチック製の場合、中間部を一例として側面から見て９０度捻った形態にすることもある。さらにいずれのジョイントブロックでもその平面形状は任意であるが、厚さｔ２は段落００１８に述べた条件を満たしている必要がある。
【００２０】図３〜図５に例示した各ジョイントブロック４〜７は、すべてその厚さｔ２が、十字溝２に密に遊挿できる厚さであるから、基本ブロック１、１１の上、下両面に設けられた十字溝２の中の任意の溝に入れて前記ブロック同士１、１１を自由に連結することができ、また異形ジョイントブロック７は、その両側に設けた凹部７ａ，７ｂが、基本ブロック１、１１の外面に露出した底部３に嵌合できるから、直方体ブロック１と円形ブロック１１で様々な立体形象物を作ることができる。
なお図３〜図５に示した各ジョイントブロック４〜７では、十字溝２に嵌った状態を取り外すときドライバビット等の棒状の道具を差し込むための、図３〜図５に鎖線で示した小孔４１，５１，６１，７１を設けることがある。
【００２１】  次に、図６〜図９により本考案ブロックを用いて組み立てた立体形象物の具体例について説明する
図６は、本考察の複数個の基本ブロック１、１１と、複数の基本ジョイントブロック４と、図の例では３個の異形ジョイントブロック７によって作った鶏に見える立体形象物の一例である。
【００２２】図７は、３個の直方体ブロック１と一個のジョイントブロック５による胴体部分と、２個のジョイントブロック６による主翼部と、３個の異形ジョイントブロック７による尾翼部とにより作った飛行機に見える立体形象物の第二例である。
【００２３】  図８は、左右の肩部、腰部、左右脚部に用いた１０個の直方体ブロック１と、頭部と左右の拳と胴部に用いた４個の円形ブロック１１と、前記両ブロック１と１１を連結するために用いた基本ジョイントブロック４と、左右の腕を形成する異形ジョイントブロック７とにより作ったロボットに見える立体形象物の第三例である。
【００２４】図９は、複数個の基本ブロック１、１１と、複数個のジョイントブロック５と、３個の異形ジョイントブロック７と、前記基本ブロック１、１１同士を結合するための基本ジョイントブロック４とにより作ったヘリコプターに見える立体形象物の第四例である。
【００２５】本考案組立ブロックおもちゃは以上の通りであって、２種の基本ブロックと少なくとも４種のジョイントブロックによって、様々な形態の立体形象物を作ることができるので、ブロックおもちゃとして従来品にない高い興趣が得られるものである。
【００２６】本考案組立ブロックおもちゃを構成する各ブロックは木製であることが望ましいが、プラスチック製であっても構わず、また、基本ブロックを木製とし、ジョイントブロックは寸法精度や強度面などに鑑みプラスチック製とするなどのハイブリッド製であってもよい。
【符号の説明】
【００２７】１，１１  基本ブロック
１  直方体ブロック
１１  円形ブロック
２  十字溝
３  十字溝２の底部
４  基本ジョイントブロック
５、６  基本ジョイントブロック４の整数倍長のジョイントブロック
７  異形ジョイントブロック
ａ  正方形の一辺長又は円の直径
ｗ  十字溝２の幅、
ｄ  十字溝２の深さ
ｔ  底部３の上下幅
ｔ２  ジョイントブロック４〜７の厚さ
【図１】
0003197214.tif 000003
【図２】
0003197214.tif 000004
【図３】
0003197214.tif 000005
【図４】
0003197214.tif 000006
【図５】
0003197214.tif 000007
【図６】
0003197214.tif 000008
【図７】
0003197214.tif 000009
【図８】
0003197214.tif 000010
【図９】
0003197214.tif 000011